(57)【要約】【課題】被切断材を切断しながら、その切断面を相当程度滑らかな面に仕上げることができるチップソーを提供する。【解決手段】チップ７によって切削された、建築材料Ｗの切断面には凹凸面となる凸部Ｗａが形成されるが、チップ７に遅れて進行する本体３のサンドペーパー１１が凹凸面の凸部Ｗａに接触するので、凸部Ｗａが削り取られる。従って、建築材料Ｗの切断面は滑らかな面となる。本体３側面を基準とするサンドペーパー１１の高さは、本体３側面を基準とするチップ７の高さと同じになるように設定されているので、チップ７によって切削が行われた際に形成された凸部Ｗａを綺麗に削り取ることができる。【選択図】    図４
2013136128.tif 000002
【特許請求の範囲】
【請求項１】
円板状の本体と、前記本体の周縁に植設された複数のチップとを有し、前記チップを被切断材に接触させて前記本体と共に進行させて、被切断材を切削して切断するチップソーにおいて、前記本体の両側面に前記被切断材の切削面を研磨する研磨部を設けたことを特徴とするチップソー。
【請求項２】
請求項１に記載したチップソーにおいて、本体側面を基準とする研磨部の高さが、本体側面を基準とするチップの高さと同じになるように設定されていることを特徴とするチップソー。
【請求項３】
請求項１または２に記載したチップソーにおいて、研磨部は本体から外すことができ、交換可能であることを特徴とするチップソー。
【請求項４】
請求項１から３のいずれかに記載したチップソーにおいて、研磨部は柔軟性を有するシート状に形成されていることを特徴とするチップソー。
【発明の詳細な説明】
【技術分野】
【０００１】
本発明は、金属製材料、木材等の被切断部材の切断に用いるチップソーに関するものである。
【背景技術】
【０００２】
チップソーによって木製や金属製の建築材料を切断する場合、その切断面の状態が建築物の仕上がりに影響を及ぼすことが少なくない。
特許文献１に記載されたチップソーは被切断材の切断面の滑らかさを損なうことなく、作業性を向上させようとするものである。
【先行技術文献】
【特許文献】
【０００３】
【特許文献１】特開２０１１−１６１８１９号公報
【発明の概要】
【発明が解決しようとする課題】
【０００４】
しかしながら、どのようなチップソーでもチップによって被切断材を切削することになるので、その切削面にはある程度の大きさの凹凸が生じることになる。従って、切断面を相当程度の滑らかな面に仕上げるためにはヤスリなどを用いて切断面を研磨する必要があり、どうしても一工程増えることになる。
本発明は上記従来の問題点に着目して為されたものであり、被切断材を切断しながら、その切断面を相当程度滑らかな面に仕上げることができるチップソーの提供を、その目的とする。
【課題を解決するための手段】
【０００５】
本発明は上記課題を解決するためになされたものであり、請求項１の発明は、円板状の本体と、前記本体の周縁に植設された複数のチップとを有し、前記チップを被切断材に接触させて前記本体と共に進行させて、被切断材を切削して切断するチップソーにおいて、前記本体の両側面に前記被切断材の切削面を研磨する研磨部を設けたことを特徴とするチップソーである。
【０００６】
請求項２の発明は、請求項１に記載したチップソーにおいて、本体側面を基準とする研磨部の高さが、本体側面を基準とするチップの高さと同じになるように設定されていることを特徴とするチップソーである。
【０００７】
請求項３の発明は、請求項１または２に記載したチップソーにおいて、研磨部は本体から外すことができ、交換可能であることを特徴とするチップソーである。
【０００８】
請求項４の発明は、請求項１から３のいずれかに記載したチップソーにおいて、研磨部は柔軟性を有するシート状に形成されていることを特徴とするチップソーである。
【発明の効果】
【０００９】
本発明のチップソーによれば、被切断材を切断しながら、その切断面を相当程度滑らかな面に仕上げることができる。従って、作業工程を増やすことなく切断面の滑らかな被切断材を得ることが可能となる。
【図面の簡単な説明】
【００１０】
【図１】本発明の実施の形態に係るチップソーの正面図である。
【図２】図１のチップソーを搭載した切断装置の斜視図である。
【図３】図２の切断装置によって建築材料を切断する様子を示す図である。
【図４】図３の部分拡大図である。
【図５】図３に示す状態からチップソーが進行して建築材料の切断面を研磨する様子を示す図である。
【図６】図１のチップソーによって切断された切断面が研磨された建築材料の部分拡大図である。
【発明を実施するための形態】
【００１１】
本発明の実施の形態に係るチップソー１を図面にしたがって説明する。
符号３は円板状の本体を示し、この本体３の周縁には台金５が形成されている。台金５は５２箇所備えられており、これらの台金５にはチップ７がそれぞれ固定されている。従って、５２個のチップ７が本体３の周縁に植設されている。
【００１２】
本体３の中心には、円形の取付用穴９が形成されている。
また、符号１１は研磨部としてのサンドペーパーを示し、このサンドペーパー１１は柔軟性を有するシート状に形成されている。サンドペーパー１１は本体３の両側面に貼付されて設けられており、このサンドペーパー１１は取付用穴９の縁から台金５の基部近傍までを覆っている。サンドペーパー１１の裏面には粘着剤が塗布されており、この粘着剤の粘着力によってサンドペーパー１１は本体３に対し貼付されている。サンドペーパー１１は一定以上の力を加えれば剥がすことができるようになっている。
また、本体側面３ａを基準とするサンドペーパー１１の高さは、本体側面３ａを基準とするチップ７の高さと同じになるように設定されている。
【００１３】
チップソー１は図２に示す切断装置１３に装着される。
切断装置１３の構成について説明する。符号１５はベースを示し、このベース１５には装置本体１７が支持軸１９を支点として揺動自在に取り付けられている。また、装置本体１７は支持軸１９に嵌められたコイルスプリング２２によってハンドル２１を上側として傾斜姿勢となるように付勢されている。
【００１４】
装置本体１７には図示しないモータが収容され、このモータの駆動軸２０(図３参照)は装置本体１７の側部から突出している。この駆動軸２０にチップソー１の取付用穴９が通されて、固定具１８によってチップソー１が駆動軸２０に固定される。
なお、装置本体１７にはチップソー１の約３分の２を覆うカバー２５が設けられ、またベース１５には建築材料Ｗを切断する際にチップソー１の外周部が入り込むスリット２７が形成されている。
【００１５】
次のチップソー１を備えた切断装置１３によって被切断材としての金属製で角棒状の建築材料Ｗを切断する作業について説明する。
まず、建築材料Ｗをベース１５に設置し、ハンドル２１を持ってスイッチをオンにし駆動軸２０と共にチップソー１を回転させた状態とする。次いで、ハンドル２１をコイルスプリング２２の付勢力に抗して押し下げ、装置本体１７と共にチップソー１を建築材料Ｗに接触させて、チップ７を本体３と共に建築材料Ｗに対し進行させて、図４に示すようにチップ７によって建築材料Ｗを切削して切断する。
【００１６】
チップ７によって切削された、建築材料Ｗの切断面Ｗａには凸部Ｗｂが形成されるが、チップ７に遅れて進行する本体３のサンドペーパー１１が凸部Ｗｂに接触するので、凸部Ｗｂが削り取られる。従って、建築材料Ｗの切断面Ｗａは滑らかな面となる。
前述のように本体側面３ａを基準とするサンドペーパー１１の高さは、本体側面３ａを基準とするチップ７の高さと同じになるように設定されているので、チップ７によって切削が行われた際に形成された凸部Ｗｂを綺麗に削り取ることができる。
【００１７】
なお、前述のようにサンドペーパー１１は一定以上の力を加えれば剥がすことができるので、サンドペーパー１１が摩耗して研磨能力が低下した場合は、新しいサンドペーパー１１と交換することが可能である。
【００１８】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では研磨部をサンドペーパー１１に構成したが、本体３自体に粗面を形成して、この粗面によって研磨部を構成することも可能である。
上記チップソー１では取付用穴９の周辺部をサンドペーパー１１によって覆う構成としたが、固定具１８が当接する取付用穴９の周辺部にサンドペーパー１１を備えない構成としてもよい。
【００１９】
また、上記実施の形態では、被切断材として金属製の建築材料を示したが、木材、プラスチック製材料等を切断する場合にも、本発明のチップソーを使用してもよいのは勿論である。
なお、本発明のチップソーを搭載する切断装置は上記実施の形態に示したものに限らず、装置本体がスイングできるタイプの他、回転するチップソーに被切断材を動かしてチップソーに押し当てるタイプ等、どのような構成のもので本発明のチップソーは適用することが可能である。
【産業上の利用可能性】
【００２０】
本発明はチップソーの製造業において利用可能性を有する。
【符号の説明】
【００２１】
１…チップソー                    ３…チップソーの本体
３ａ…本体側面                    ５…台金
７…チップ                        ９…取付用穴
１１…サンドペーパー              １３…切断装置
１５…ベース                      １７…装置本体
１８…固定具                      １９…支持軸
２０…駆動軸                      ２１…ハンドル
２２…コイルスプリング            ２５…カバー
２７…スリット
Ｗ…建築材料                      Ｗａ…切断面
Ｗｂ…凸部
【図１】
2013136128.tif 000003
【図２】
2013136128.tif 000004
【図３】
2013136128.tif 000005
【図４】
2013136128.tif 000006
【図５】
2013136128.tif 000007
【図６】
2013136128.tif 000008